(57)【要約】【課題】室内空間のいずれの箇所にも設置可能な可動間仕切り収納家具を提供する。【解決手段】内部に少なくとも１つの収納空間が形成された収納部本体１０を備え、移動可能に構成されて室内空間の間仕切りとして用いられる可動間仕切り収納家具１において、収納部本体１０の上端部に、照明器具３１と該照明器具３１が収納されたハウジング３２とを有し、外部へ光を放出する照明ユニット３０を設ける。【選択図】図２
2018051258.tif 000002
【特許請求の範囲】
【請求項１】
内部に少なくとも１つの収納空間が形成された収納部本体を備え、移動可能に構成されて室内空間の間仕切りとして用いられる可動間仕切り収納家具であって、
上記収納部本体の上端部に設けられ、照明器具と該照明器具が収納されたハウジングとを有し、外部へ光を放出する照明ユニットを備えている
ことを特徴とする可動間仕切り収納家具。
【請求項２】
請求項１において、
上記ハウジングの上面には、上記照明器具に接続された電源接続用の配線を外部へ取り出すための孔が形成されている
ことを特徴とする可動間仕切り収納家具。
【請求項３】
請求項１又は２において、
上記ハウジングの上面の少なくとも一部は、光が透過する部材によって形成されている
ことを特徴とする可動間仕切り収納家具。
【請求項４】
請求項１乃至３のいずれか１つにおいて、
上記ハウジングの側面の少なくとも一部は、光が透過する部材で形成されている
ことを特徴とする可動間仕切り収納家具。
【請求項５】
請求項３において、
上記照明ユニットは、上記ハウジングの上面が露出するように上記収納部本体の上端部に内蔵されている
ことを特徴とする可動間仕切り収納家具。
【請求項６】
請求項５において、
上記収納部本体の上端外縁と天井面との間を閉塞するように設けられ、光の通過を遮断又は制限する調光パネルを備えている
ことを特徴とする可動間仕切り収納家具。
【発明の詳細な説明】
【技術分野】
【０００１】
本発明は、住宅等の建物の室内空間を仕切る間仕切りを収納家具で構成した間仕切り収納家具に関し、特に、移動可能に構成された可動間仕切り収納家具に係るものである。
【背景技術】
【０００２】
従来、住宅等の建物の室内空間の間仕切りに、間仕切り壁ではなく収納家具を用いることがある。また、この種の間仕切り収納家具の中には、移動可能に構成された可動間仕切り収納家具がある（例えば、下記特許文献１を参照）。
【０００３】
下記特許文献１には、収納本体の底板に車輪が取り付けられ、この車輪を取り囲む台枠が昇降機構によって昇降するように構成された可動間仕切り収納家具が開示されている。該可動間仕切り収納家具では、昇降機構によって内側台枠を車輪の下端よりも上方の位置まで上昇させて車輪を床面に当接させると、可動間仕切り収納家具が移動可能な状態になる。この状態で、車輪を回転させて可動間仕切り収納家具を所望の設置位置に移動させた後、昇降機構によって内側台枠を車輪の下端よりも下方の位置まで下降させて車輪を床面から浮き上がらせることにより、可動間仕切り収納家具を移動不能な状態にする。このようにして、上記可動間仕切り収納家具は、移動可能に構成されているため、建物内の間取りを自由に変更することができる。
【先行技術文献】
【特許文献】
【０００４】
【特許文献１】特開２０１５−２０８６５７号公報
【発明の概要】
【発明が解決しようとする課題】
【０００５】
しかしながら、上述のような可動間仕切りユニットでは、間仕切りとして利用するため、２０００ｍｍ程度の高さに設計されている。そのため、上記可動間仕切りユニットは、天井に設置された照明器具（所謂、シーリングライト）に当接するおそれがあり、また、当接しなくてもシーリングライトから放出される光を遮ってしまうため、シーリングライトの真下には設置することができなかった。つまり、上記可動間仕切りユニットでは、自由に移動させることはできるものの、実際のところ、シーリングライトによる配置の制約があり、自由に間取りを変更することができなかった。
【０００６】
一方、間取りの変更を優先させる場合には、照明器具の設置位置を変更しなければならず、大がかりな工事が必要となり、容易に間取りの変更を行うことができなかった。
【０００７】
本発明は、かかる点に鑑みてなされたものであり、その目的は、室内空間のいずれの箇所にも設置可能な可動間仕切り収納家具を提供することにある。
【課題を解決するための手段】
【０００８】
上記の目的を達成するために、本発明では、可動間仕切り収納家具の上端部に照明ユニットを設け、照明機能を有する構成にした。
【０００９】
具体的には、第１の発明は、内部に少なくとも１つの収納空間が形成された収納部本体を備え、移動可能に構成されて室内空間の間仕切りとして用いられる可動間仕切り収納家具を前提としている。
【００１０】
そして、第１の発明に係る可動間仕切り収納家具は、上記収納部本体の上端部に設けられ、照明器具と該照明器具が収納されたハウジングとを有し、外部へ光を放出する照明ユニットを備えていることを特徴とする。
【００１１】
第１の発明によれば、収納部本体の上端部に、外部に光を放出する照明ユニットを設けることとしたため、シーリングライトの設置位置の真下の位置に可動間仕切り収納家具を設置しても、シーリングライトの代わりに照明ユニットから放出される光で室内空間を照らすことができる。従って、第１の発明によれば、室内空間のいずれの箇所にも設置可能な可動間仕切り収納家具を提供することができる。
【００１２】
また、第１の発明によれば、収納部本体の上端部に照明ユニットを設けることとした。そのため、可動間仕切り収納家具をシーリングライトの設置箇所以外の箇所に設置する場合には、照明ユニットを既存のシーリングライトと併用して室内空間の明るさを増大させることができる。また、既存のシーリングライトの代わりに照明ユニットを使用することが可能となるため、シーリングライトと照明ユニットを使い分けることにより、室内空間の使用状況に応じた照明が可能になる。
【００１３】
第２の発明は、第１の発明において、上記ハウジングの上面には、上記照明器具に接続された電源接続用の配線を外部へ取り出すための孔が形成されていることを特徴とする。
【００１４】
第２の発明によれば、収納部本体の上端部に設けられた照明ユニットのハウジングの上面に、電源接続用の配線を外部へ取り出すための孔を形成することとした。そのため、可動間仕切り収納家具をシーリングライトの設置位置付近に設置する場合には、電源接続用の配線を可動間仕切り収納家具の上方に取り出し、天井面に設置されている既存のシーリングライトの電源に接続することができる。このような構成によれば、電源接続用の配線が可動間仕切り収納家具と天井面との間の高い位置に配されるため、人の目に触れず、美観を向上させることができる。また、床面Ｆでの配線処理を行う必要がなくなるため、人が配線にひっかかる虞もなくなり、安全性を向上させることができる。
【００１５】
第３の発明は、第１又は第２の発明において、上記ハウジングの上面の少なくとも一部は、光が透過する部材によって形成されていることを特徴とする。
【００１６】
第３の発明では、収納部本体の上端部に設けられた照明ユニットのハウジングの上面の少なくとも一部が、光が透過する部材で形成されているため、照明ユニットの照明器具から放出される光は、少なくとも可動間仕切り収納家具の上方に放出される。このように照明ユニットが少なくとも上方に光を放出するように構成することにより、上方に放出された光が天井面で反射することによって室内空間を広く照らすことができる。つまり、可動間仕切り収納家具に、間接照明としての機能をもたすことができる。
【００１７】
第４の発明は、第１乃至第３のいずれか１つの発明において、上記ハウジングの側面の少なくとも一部は、光が透過する部材で形成されていることを特徴とする。
【００１８】
第４の発明によれば、収納部本体の上端部に設けられた照明ユニットのハウジングの側面の少なくとも一部が、光が透過する部材で形成されているため、照明ユニットの照明器具から放出される光は、少なくとも可動間仕切り収納家具の上端部の側方に放出される。このように照明ユニットが側方に光を放出するように構成することにより、側方に放出された光によって室内空間を広く照らすことができる。また、可動間仕切り収納家具が壁付近に設置された場合には、側方に放出された光が壁面で反射することによって間接照明としての機能をもたすこともできる。
【００１９】
第５の発明は、第３の発明において、上記照明ユニットは、上記ハウジングの上面が露出するように上記収納部本体の上端部に内蔵されていることを特徴とする。
【００２０】
第５の発明によれば、照明ユニットが、可動間仕切り収納家具の収納部本体の上端部に内蔵されているため、照明ユニットを外観上目立たせることなく設けることができる。照明ユニットを設けない可動間仕切り収納家具と外観上は変わらないため、照明ユニットを設けても室内空間に居る人に違和感を与えることがない。
【００２１】
第６の発明は、第５の発明において、上記収納部本体の上端外縁と天井面との間を閉塞するように設けられ、光の通過を遮断又は制限する調光パネルを備えていることを特徴とする。
【００２２】
ところで、可動間仕切り収納家具が設置される室内空間の間取りによっては、所定の方向に光を放出させたくない又は放出させる必要がない場合がある。
【００２３】
そこで、第６の発明では、収納部本体の上端外縁と天井面との間に、この間を閉塞するように光の通過を遮断又は制限する調光パネルを設けることとした。このような調光パネルを、光を放出させたくない又は放出させる必要のない方向に設置することにより、室内空間の場所毎に適した光を供給することができる。
【発明の効果】
【００２４】
本発明によれば、可動間仕切り収納家具の上端部を照明ユニットに構成したことにより、シーリングライトによる配置の制約のない室内空間のいずれの箇所にも設置可能な可動間仕切り収納家具を提供することができる。
【図面の簡単な説明】
【００２５】
【図１】図１は、実施形態１に係る可動間仕切り収納家具の斜視図である。
【図２】図２は、実施形態１に係る可動間仕切り収納家具の上段の扉を開けて照明ユニットが収納本体部に内蔵された様子を示す正面図である。
【図３】図３は、実施形態１に係る可動間仕切り収納家具の上端部を拡大して示す斜視図であり、上段の扉と照明ユニットの天板とを外した状態を示すものである。
【図４】図４は、実施形態１に係る可動間仕切り収納家具の上端部を拡大して示す斜視図であり、電源接続用の配線をシーリングライト用の電源に接続する様子を示すものである。
【図５】図５は、実施形態２に係る可動間仕切り収納家具の斜視図である。
【図６】図６は、実施形態３に係る可動間仕切り収納家具の斜視図である。
【発明を実施するための形態】
【００２６】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００２７】
《発明の実施形態１》
図１及び図２は、本発明の実施形態１に係る可動間仕切り収納家具１を示す。該可動間仕切り収納家具１は、例えば、住宅等の建物の室内空間に設置されて収納家具兼間仕切り壁として用いられるものである。
【００２８】
−構成−
図１に示すように、可動間仕切り収納家具１は、住宅等の室内空間に設置され、室内空間を２つの空間に仕切っている。具体的には、本実施形態１では、可動間仕切り収納家具１は、一方の側面が壁面Ｗに当接するように床面Ｆ上に設置され、室内空間をダイニング空間Ｓ１（図１において手前側の空間）とリビング空間Ｓ２と（図１において奥側の空間）とに仕切っている。可動間仕切り収納家具１は、床面Ｆから天井面Ｃまでの高さ（天井高さ）が２４００ｍｍの室内空間に設置することを想定し、可動間仕切り収納家具１の上端面と天井面Ｃとが２００ｍｍ以上離れるように、全高が１８００〜２２００ｍｍとなるように構成されている。本実施形態１では、可動間仕切り収納家具１の全高は、２０００ｍｍに設計されている。なお、この全高は、後述する可動機構２０によって可動間仕切り収納家具１が移動可能な状態にあるときではなく、移動不能な状態にあるときの高さである。
【００２９】
図２に示すように、可動間仕切り収納家具１は、収納部本体１０と可動機構２０と２つの照明ユニット３０とを備えている。可動機構２０は、収納部本体１０の下端部に内蔵されている。一方、照明ユニット３０は、収納部本体の上端部に内蔵されている。
【００３０】
［収納部本体］
収納部本体１０は、２つの側板１１，１２と、中仕切板１３と、底板１４とを備えている。２つの側板１１，１２は、同じ大きさの長方形状の板状体によって構成され、左右方向に対応するように互いに平行に設けられている。中仕切板１３は、２つの側板１１，１２の奥行き方向の真ん中において、２つの側板１１，１２に垂直に、該側板１１，１２の間に架け渡すように設けられている。中仕切板１３は、上下方向の長さが２つの側板１１，１２よりも短くなるように形成され、上端が２つの側板１１，１２の上端よりも低い位置に位置し、下端が２つの側板１１，１２の下端よりも高い位置に位置するように設けられている。底板１４は、中仕切板１２の下端に当接し、２つの側板１１，１２に垂直に、該側板１１，１２の間に架け渡すように設けられている。
【００３１】
このような構成により、収納部本体１０の上端部には、第１収納空間１０ａが形成され、下端部には、第２収納空間１０ｂが形成される。また、第１収納空間１０ａと第２収納空間１０ｂとの間の収納空間は、中仕切板１３によって、ダイニング空間Ｓ１側の第３収納空間１０ｃと、リビング空間Ｓ２側の第４収納空間１０ｄとに区切られている（図１を参照）。
【００３２】
第３収納空間１０ｃ及び第４収納空間１０ｄは、複数の棚板１５や吊り棚１６によってさらに複数の区画に細分化されている。細分化された複数の区画のうち、いくつかの区画には、扉１７が設けられ、開口を閉塞できるように構成されている。
【００３３】
第１収納空間１０ａは、第３収納空間１０ｃ及び第４収納空間１０ｄの上端部の区画を閉塞する扉１７によって、ダイニング空間Ｓ１側の側面とリビング空間Ｓ２側の側面の両面が閉塞可能に構成され、第１収納空間１０ａには、詳細について後述する照明ユニット３０が収納されている。
【００３４】
第２収納空間１０ｂは、ダイニング空間Ｓ１側の側面とリビング空間Ｓ２側の側面とが、閉塞板１８によってそれぞれ閉塞され、第２収納空間１０ｂには、詳細について後述する可動機構２０が収納されている。
【００３５】
［可動機構］
図２に示すように、可動機構２０は、車輪２１と、車輪２１を保持するホルダ２２と、車輪２１をホルダ２２に対して上下方向に対して傾斜した方向に移動させる駆動部２３とを有している。車輪２１及びホルダ２２は、長方形状の底板１４の四隅に１つずつ設けられている。
【００３６】
詳細な図示は省略しているが、ホルダ２２は、コ字状の金属板によって形成されて底板１４に固定された外枠２２ａと、該外枠２２ａにスライド自在に係合し、車輪２１が回動可能に固定された台座２２ｂとを有している。各ホルダ２２の台座２２ｂは、外枠２２ａに対して、左右方向の中央方向に近づくほど下側に位置するように上下方向に対して傾斜した方向にスライドするように構成されている。
【００３７】
駆動部２３は、回動軸２３ａと、回動軸２３ａを保持するホルダ２３ｂと、４本のワイヤ２３ｃとを有している。回動軸２３ａは、左右方向の中央部において奥行き方向に延びるように配置され、底板１４に固定されたホルダ２３ｂに回動自在に支持されている。４本のワイヤ２３ｃは、一端がホルダ２２の台座２２ｂに固定され、他端が回動軸２３ａに固定されている。４本のワイヤ２３ｃは、回動軸２３ａを所定の方向に回動させると、全てのワイヤ２３ｃが回動軸２３ｂに巻き取られ、回動軸２３ａを逆方向に回動させると、全てのワイヤ２３ｃが回動軸２３ｂから引き出されるように、それぞれ回動軸２３ａに固定されている。なお、回動軸２３ａは、工具を用いて力を加えない限り、回動しないように構成されている。
【００３８】
このような構成により、工具を用いて回動軸２３ａを所定の方向（図２では半時計回り）に回動させると、４本のワイヤ２３ｃが回動軸２３ａに巻き取られ、４つのホルダ２２の台座２２ｂが外枠２２ａに対して左右方向の中央側且つ下方へスライドする。これにより、各台座２２ｂに固定された車輪２１が台座２２ｂと共に斜め下方へ移動し、やがて床面Ｆに当接する。この状態から回動軸２３ａをさらに回動させて車輪２１を台座２２ｂと共に押し下げると、やがて車輪２１が第２収納空間１０ｂから下方（側板１１，１２及び閉塞板１８の下端よりも下方）に突出し、収納部本体１０を浮き上がらせる。これにより、可動間仕切り収納家具１は、４つの車輪２１のみが床面Ｆに当接した状態となり、車輪２１によって移動可能な状態となる。
【００３９】
一方、上述の可動間仕切り収納家具１が移動可能な状態から、工具を用いて回動軸２３ａを所定の方向と逆方向（図２では時計回り）に回動させると、４本のワイヤ２３ｃが回動軸２３ａから引き出され、４つのホルダ２２の台座２２ｂが外枠２２ａに対して左右方向の外側且つ上方へスライドする。これにより、各台座２２ｂに固定された車輪２１が台座２２ｂと共に斜め上方へ移動し、やがて第２収納空間１０ｂから下方に突出していた車輪２１が床面Ｆから離れて第２収納空間１０ｂに収納されると共に、収納部本体１０の下端（側板１１，１２及び閉塞板１８の下端）が床面Ｆに当接する。これにより、可動間仕切り収納家具１は、４つの車輪２１が床面Ｆに当接しない移動不能な状態となる。
【００４０】
なお、可動間仕切り収納家具１が移動不能な状態の際に、床面Ｆに当接する側板１１，１２及び閉塞板１８の下端には、振動を緩衝するためのシート状のジェルが接着されている。
【００４１】
［照明ユニット］
図３及び図４に示すように、照明ユニット３０は、照明器具３１と、該照明器具３１を収容するハウジング３２と、電源に接続されて電源からの電力を照明器具３１に供給する電源接続用の配線３３とを備えている。
【００４２】
照明器具３１は、本実施形態１では、電源から電力が供給されて発光するＬＥＤモジュール等のＬＥＤ光源と、該ＬＥＤ光源を保護するカバー部材とを有している。なお、本発明に係る照明器具３１は、電力が供給されて発光するものであれば、いかなるものであってもよく、ＬＥＤ照明器具に限定されない。照明器具３１には、電源接続用の配線３３が接続されている。
【００４３】
ハウジング３２は、直方体形状の筺状体によって構成されている。具体的には、ハウジング３２は、上面が開口する筺状の本体部３２ａと、該本体部３２ａの上面を閉塞する蓋板部３２ｂとを有している。本体部３２ａは、略正方形状の底板と４つの横長の長方形状の側板とを有して上面が開口する筺状体に構成されている。蓋板部３２ｂは、光が透過する材料で略正方形状の板状体に構成されている。本実施形態１では、蓋板部３２ｂは、乳白色のアクリルパネルによって構成されている。ハウジング３２の上面の一部を構成する本体部３２ａの上面の角隅部（２枚の側板の接合部）には、ハウジング３２の内部と外部とを連通する孔３４が形成されている。孔３４は、照明器具３１に接続された電源接続用の配線３３を挿通可能な直径に形成されている。孔３４は、電源接続用の配線３３を、ハウジング３２の内部から外部へ取り出すために形成されている。
【００４４】
本実施形態１では、可動間仕切り収納家具１は、照明ユニット３０を２つ備えている。２つの照明ユニット３０は、収納本体部１０の上端部に内蔵されている。具体的には、照明ユニット３０は、収納本体部１０の上端部に形成された第１収納空間１０ａに収納されている。つまり、収納家具３０は、収納本体部１０の上端部に内蔵されている。２つの照明ユニット３０は、第１収納空間１０ａにおいて、左右方向に並ぶように配置されている。
【００４５】
また、本実施形態１では、図４に示すように、照明ユニット３０の電源接続用の配線３３は、天井面Ｃに設けられたシーリングライト用の電源４０に接続される。なお、本実施形態１では、図２〜４において、右側の照明ユニット３０の電源接続用の配線３３の記載を省略している。
【００４６】
以上のような構成により、２つの照明ユニット３０は、収納本体部１０の上端部に内蔵され、上面を構成する蓋板部３２ｂが光を透過させるアクリルパネルで構成されることにより、各照明ユニット３０の照明器具３１から放出される光は、少なくとも可動間仕切り収納家具１の上方に放出されることとなる。
【００４７】
−実施形態１の効果−
以上のように、本実施形態１の可動間仕切り収納家具１では、収納部本体１０の上端部に、外部に光を放出する照明ユニット３０を設けることとしたため、シーリングライトの設置位置の真下の位置に可動間仕切り収納家具１を設置しても、シーリングライトの代わりに照明ユニット３０から放出される光で室内空間Ｓ１，Ｓ２を照らすことができる。従って、本可動間仕切り収納家具１によれば、室内空間Ｓ１，Ｓ２のいずれの箇所にも設置可能な可動間仕切り収納家具１を提供することができる。
【００４８】
また、本実施形態１の可動間仕切り収納家具１によれば、収納部本体１０の上端部に照明ユニット３０を設けることとした。そのため、可動間仕切り収納家具１をシーリングライトの設置箇所以外の箇所に設置する場合には、照明ユニット３０を既存のシーリングライトと併用して室内空間Ｓ１，Ｓ２の明るさを増大させることができる。また、既存のシーリングライトの代わりに照明ユニット３０を使用することが可能となるため、シーリングライトと照明ユニット３０を使い分けることにより、室内空間Ｓ１，Ｓ２の使用状況に応じた照明が可能になる。
【００４９】
また、本実施形態１の可動間仕切り収納家具１によれば、収納部本体１０の上端部に設けられた照明ユニット３０のハウジング３２の上面に、電源接続用の配線３３を外部へ取り出すための孔３４を形成することとした。そのため、可動間仕切り収納家具１をシーリングライトの設置位置付近に設置する場合には、電源接続用の配線３３を可動間仕切り収納家具１の上方に取り出し、天井面Ｃに設置されている既存のシーリングライトの電源４０に接続することができる。このような構成によれば、電源接続用の配線３３が可動間仕切り収納家具１と天井面Ｃとの間の高い位置に配されるため、人の目に触れず、美観を向上させることができる。また、床面Ｆでの配線処理を行う必要がなくなるため、人が配線にひっかかる虞もなくなり、安全性を向上させることができる。
【００５０】
また、本実施形態１の可動間仕切り収納家具１では、収納部本体１０の上端部に設けられた照明ユニット３０のハウジング３２の上面の少なくとも一部が、光が透過する部材（乳白色のアクリルパネル）で形成されているため、照明ユニット３０の照明器具３１から放出される光は、少なくとも可動間仕切り収納家具１の上方に放出される。このように照明ユニット３０が少なくとも上方に光を放出するように構成することにより、上方に放出された光が天井面Ｃで反射することによって室内空間Ｓ１，Ｓ２を広く照らすことができる。つまり、可動間仕切り収納家具１に、間接照明としての機能をもたすことができる。
【００５１】
また、本実施形態１の可動間仕切り収納家具１によれば、照明ユニット３０が、収納部本体１０の上端部に内蔵されているため、照明ユニット３０を外観上目立たせることなく設けることができる。照明ユニット３０を設けない可動間仕切り収納家具１と外観上は変わらないため、照明ユニット３０を設けても室内空間Ｓ，Ｓ２に居る人に違和感を与えることがない。
【００５２】
《発明の実施形態２》
図５に示すように、実施形態２は、実施形態１の可動間仕切り収納家具１において、照明ユニット３０の構成を一部変更したものである。
【００５３】
実施形態１では、照明ユニット３０が、収納本体部１０の上端部に内蔵されていたが、実施形態２では、照明ユニット３０は、収納本体部１０の上部に設置されている。具体的には、収納本体部１０の上端部は、天板によって閉塞され、該天板の上部に照明ユニット３０が固定されている。
【００５４】
また、実施形態１では、ハウジング３２の蓋板部３２ｂのみが光が透過する部材（乳白色のアクリルパネル）で構成されていたが、実施形態２では、ハウジング３２の本体部３２ａの４つの側板も、蓋板部３２ｂと同様に、光が透過する部材（乳白色のアクリルパネル）で構成されている。
【００５５】
このような構成により、実施形態２では、２つの照明ユニット３０は、上面を構成する蓋板部３２ｂと側面を構成する本体部３２ａの４つの側板が光を透過させるアクリルパネルで構成されることにより、各照明ユニット３０の照明器具３１から放出される光は、可動間仕切り収納家具１の上方と側方とに放出されることとなる。
【００５６】
このような実施形態２の可動間仕切り収納家具１によれば、照明ユニット３０が上方だけでなく側方にも光を放出するように構成することにより、側方に放出された光によって室内空間Ｓ１，Ｓ２を広く照らすことができる。また、図５に示すように、可動間仕切り収納家具１が壁面Ｗ付近に設置された場合には、側方に放出された光が壁面Ｗで反射することによって間接照明としての機能をもたすこともできる。
【００５７】
《発明の実施形態３》
実施形態３は、図６に示すように、実施形態１の可動間仕切り収納家具１に、調光パネル５０を付加したものである。
【００５８】
可動間仕切り収納家具１が設置される室内空間の間取りによっては、所定の方向に光を放出させたくない又は放出させる必要がない場合がある。例えば、図６に示す可動間仕切り収納家具１の手前側のダイニング空間Ｓ１には、既に照明器具が設けられており、照明ユニット３０からダイニング空間Ｓ１側へ光を放出させる必要がない場合が考えられる。そのような場合には、図６に示すように、収納部本体１０のダイニング空間Ｓ１側の上端外縁と天井面Ｃとの間に、この間を閉塞するように調光パネル５０を設ける。本実施形態３では、調光パネル５０は、木材によって形成され、光の通過を遮断する遮光パネルに構成されている。
【００５９】
遮光パネル５０は、可動間仕切り収納家具１を設置した後に、側方から取り付けられるように構成されている。具体的には、遮光パネル５０には、リビング空間Ｓ２側の裏面の下端部に、裏面に垂直な方向に突出する突出部が形成され、収納部本体１０の上端外縁には、遮光パネル５０の突出部と係合する係合溝が形成されている。このような構成により、遮光パネル５０は、突出部と収納部本体１０の係合溝とを係合させることによって収納部本体１０の上端と天井面Ｃとの間に固定される。
【００６０】
このように、実施形態３では、照明ユニット３０の光を放出させる必要のないダイニング空間Ｓ１側の収納部本体１０の上端外縁と天井面Ｃとの間に、この間を閉塞するように光の通過を遮断する遮光パネルに構成された調光パネル５０を設けることとした。このような調光パネル５０を、光を放出させる必要のない方向に設置することにより、室内空間の場所毎に適した光を供給することができる。
【００６１】
《その他の実施形態》
上記実施形態については、以下のような構成としてもよい。
【００６２】
上記各実施形態では、照明ユニット３０のハウジング３２が、収納本体部１０の構造体と別体に構成されていたが、照明ユニット３０のハウジング３２は、収納本体部１０の構造体の一部によって構成されていてもよい。
【００６３】
また、上記各実施形態では、照明ユニット３０を２つ設けることとしていたが、照明ユニット３０の個数はこれに限られない。１つであってもよく、３つ以上であってもよい。なお、照明ユニット３０が複数の場合、電源タップやダクトレールを用いれば、複数の電源接続用の配線３３を１つの電源４０に接続することができる。また、電源３３から少し離れた位置に可動間仕切り収納家具１を設置する場合にも、ダクトレールを用いることにより、照明ユニット３０の電源接続用の配線３３を天井面Ｃに設置された既存の電源４０に接続することが可能となる。
【００６４】
また、上記各実施形態において、可動機構２０の車輪２１が駆動部２３によって上下動することにより、可動間仕切り収納家具１が移動可能な状態と移動不能な状態とに切り換わるように構成されていた。しかしながら、可動間仕切り収納家具１を、移動可能な状態と移動不能な状態とに切り換える機構は、いかなる機構であってもよい。例えば、車輪２１が上下動するのではなく、従来技術のように、車輪２１が収納された第２収納空間Ｓ１０ｂの周囲を取り囲む側板１１，１２及び閉塞板１８の内側に内枠部材を設け、該内枠部材が側板１１，１２及び閉塞板１８に対して上下動することにより、車輪２１が床面Ｆに当接する移動可能な状態と、車輪２１が床面Ｆから離れた移動不能な状態とに切り換わるように構成してももちろんよい。
【００６５】
また、上記各実施形態において、照明ユニット３０のハウジング３２の蓋板部３２ｂ及び本体部ａの側面を、光が透過する乳白色のアクリルパネルで構成していたが、これらは乳白色のアクリルパネル以外の光が透過する部材で構成してもよい。また、照明ユニット３０のハウジング３２の蓋板部３２ｂ及び本体部ａの側面に装飾を施してもよい。このような構成によれば、例えば、装飾された影が天井面Ｃ又は壁面Ｗにうつるため、照明ユニット３０から放出される光を、天井面Ｃや壁面Ｗの装飾に用いることができる。
【００６６】
また、上記実施形態３では、本発明に係る調光パネル５０を、光の通過を遮断する木製の遮光パネルで構成した例について説明したが、木製以外の光の通過を遮断する遮光パネルで構成することとしてももちろんよい。
【００６７】
また、本発明に係る調光パネル５０は、遮光パネルではなく、乳白色のアクリルパネルのように、光の通過を制限する部材で構成してもよい。このようなパネルによれば、所定方向の光の強度を低減することができる。
【００６８】
また、本発明に係る調光パネル５０として、木材パネルの裏面が鏡面に構成されたものを用いてもよい。このような調光パネル５０によれば、照明ユニット３０から放出される光を鏡面によって反射させることにより、所定の方向に放出される光の強度を増大し、逆方向へ放出される光を遮断することができる。
【産業上の利用可能性】
【００６９】
以上説明したように、本発明は、住宅等の建物の室内空間を仕切る間仕切りを収納家具で構成した間仕切り収納家具に関し、特に、移動可能に構成された可動間仕切り収納家具について有用である。
【符号の説明】
【００７０】
１            可動間仕切り収納家具
１０          収納部本体
３０          照明ユニット
３１          照明器具
３２          ハウジング
３３          電源接続用の配線
３４          孔
５０          調光パネル
【図１】
2018051258.tif 000003
【図２】
2018051258.tif 000004
【図３】
2018051258.tif 000005
【図４】
2018051258.tif 000006
【図５】
2018051258.tif 000007
【図６】
2018051258.tif 000008